【事件の表示】
　昭和６３年　特　許　願　第２０７９４号「画像形成装置」拒絶査定に対する審判事件（平成１年８月８日出願公開、特開平１−１９６３４５）について、次のとおり審決する。
【結論】
　本件審判の請求は、成り立たない。
【理由】
１．手続の経緯・本願発明
　本願は、昭和６３年１月３０日の出願であって、その請求項１に係る発明（以下、「本願発明」という。）は、平成９年５月１２日付け、平成９年１０月３日付け各手続補正書により補正された明細書および図面の記載からみて、その特許請求の範囲第１項に記載された次のとおりのものと認める。
「アレイ状に配列された複数の記録素子を画像データに応じて駆動する画像形成装置であって、画素の濃度をし且つ複数のビットで構成される画像データを入力する入力手段と、
　該入力手段から入力される画像データを構成する複数ビットを１画素分同時に保持して並列に出力する保持手段と、
　前記画像データの各々のビットに対応する異なるパルス幅のパルス信号を，各パルス信号の立ち下がりに同期して次のパルス信号が立ち上がるようにして順次生成するパルス信号生成手段と、
　前記パルス信号生成手段により順次生成されるパルス信号のうち、前記保持手段から並列で出力されている前記画像データを構成する複数ビット内の特定ビットに対応するパルス信号を該特定ビットに応じて選択する選択手段と、
　該選択手段により選択されるパルス信号に応じて前記記録素子の各々を駆動する駆動手段とを有することを特徴とする画像形成装置。」
２．引用例
　前置審査の拒絶の理由に引用した特開昭５８−７８４７６号公報（以下「引用例」という。）には、「多数のドットから成るキヤラクタの像をその上に発生するために帯電したホトレセプタをアドレス指定するアレーに形成された個々の発光ダイオードの出力を制御する方法において、線形アレーに複数の発光ダイオードを設けること、各発光ダイオードを使用可能化手段に接続すること、複数の周期のうちの１つの間前記使用可能化手段に前記発光ダイオードを使用可能にさせることができるタイミング手段に前記使用可能化手段を接続すること、帯電したホトレセプタを供給すること、発光ダイオードがホトレセプタをアドレス指定するような位置にアレーを配置すること、ホトレセプタ状に選択されたキヤラクタの像を発生するのに必要なドットの位置に関する情報を使用可能化手段に送ること、及び滑らかな縁を有するキヤラクタを発生するのに必要なドットのサイズに関する情報をタイミング手段に送ること、の各ステップから成ることを特徴とする発光ダイオードの出力を制御する方法。」（特許請求の範囲第１１項）、及び「第３図において、ＬＥＤ１８は，リード２１，２２に並列に接続されかつＬＥＤと抵抗Ｒとの間の接続点に位置したドライバー２８を介して、抵抗Ｒに接続されている。各ドライバー２８は集積回路３０に接続されている。この集積回路３０は４つのグループに分けられた複数のトリステートバッファ３２を有している。各ＬＥＤ１８は各ドライバー２８を介してトリステートバッファ３２の１つのグループに接続されている。このバッファ３２の各々は４つの母線３４の１つに接続されている。４つの母線３４はそれぞれ２進値８，４，２あるいは１に応じて異なった時間について等しい電力を供給する。この２進値は各バスが所与のバッファ３２をゲートする時間を示す。これらの時間のシーケンスは第５図に示されている。バッファ３２はラッチ３６に接続されている。個々のラッチを各グループの個々のバッファ３２に接続しているリードがある。このラッチ３６はリード４０を介してシフトレジスタ３８に、及びラッチクロック３７に接続されている。データ入力リード４４及びクロックリード４６がシフトレジスタ３８に接続されている。データは、レジスタが一杯にされるまで各クロックパルス毎にシフトレジスタ３８にシリアルに供給される。次のクロックパルスによって、レジスタ３８内のデータはパラレルにラッチ３６に送られる。次に、このラッチ３６は、選択した周期間ドライバー２８を使用可能にするために母線３４を介して選択的に使用可能にされるバッファ３２に、情報を与える。詳細には、このラッチは情報がクロックされた時に１グループ中のバッファ３２の各々に「１」あるいは「０」を与える。母線３４は次に、等しくない時間長についてそのグループの各バッファ３２を順次ゲートする。例えば、第１のバッファは８単位時間ゲートされ、第２のバッファは４単位時間ゲートされる等である。ラッチがバッファ３４上に「１」を与えるとこのバッファは関連したバス３４により与えられた時間長間ゲートされるが、このラッチがこのバッファに「０」を与えるとその出力は零である。例えば、「２」及び「４」の母線３４に接続されたバッファ３２がラッチ３６によって「１」を与えられ、かつ「８」及び「１」の母線３４接続されたバッファ３２がラッチによって「０」を与えられた場合には、ＬＥＤ１８は６単位時間だけ使用可能にされる。」（第５頁左上欄第１９行〜右下欄第３行）と記載され、第３図には、光がダイオードから発生される周期を制御するために使用される回路図が、第５図には、第３図に示された回路により発生される電流波形を示す図がそれぞれ記載されている。
　これらの記載から、上記引用例には、結局、
　「アレーに形成された複数の発光ダイオード１８をキヤラクタの像を形成するのに必要な情報に応じて駆動する像を発生させる装置であって、
　ドットのサイズに関し且つ複数の要素で構成される情報を入力するデータ入力リード４４と、
　該データ入力リード４４から入力されるドットのサイズに関する情報を構成する複数の要素を１ドット分同時に保持して並列に出力するラッチ３６と、
　前記ドットに関する情報の各々の要素に対応する異なる単位時間順次ゲートする複数の母線３４と、
　前記複数の母線３４により順次ゲートされ、前記ラッチ３６から並列で出力されている前記ドットのサイズに関する情報を構成する複数の要素内の特定要素に対応する母線３４を介して該特定要素に応じて選択的に使用可能とされるトリステートバッファ３２と、
　該トリステートバッファ３２により選択される母線３４に応じて前記発光ダイオード１８の各々を使用可能とするドライバー２８とを有するキヤラクタの像を発生する装置」が記載されている。
３．対比
　本願発明と引用例１に記載された発明とを対比すると、引用例の「アレーに形成された複数の発光ダイオード１８」、「キヤラクタの像を形成するのに必要な情報」、「データ入力リード」、「ラッチ３６」、「単位時間」、「複数の母線３４」、「トリステートバッファ３２」、「ドライバー２８」および「キヤラクタの像を発生する装置」は、それぞれ、本願発明の「記録素子」、「画像データ」、「入力手段」、「保持手段」、「パルス幅」、「パルス信号生成手段」、「選択手段」、「駆動手段」および「画像形成装置」に相当しており、また、引用例の「母線３４がトリステートバッファ３２を順次ゲートする」ということは、特定の「単位時間」（「パルス幅」）、「トリステートバッファ３２」に対して順次パルス信号を生成することであり、その生成態様も、第５図に示されているように、各パルス信号の立ち下がりに同期して次のパルス信号立ち上がるようにして順次生成していると認められるから、
両者は、「アレイ状に配列された複数の記録素子を画像データに応じて駆動する画像形成装置であって、
　複数の要素で構成される画像データを入力する入力手段と、
　該入力手段から入力される画像データを構成する複数の要素を１画素分同時に保持して並列に出力する保持手段と、
　前記画像データの各々の要素に対応する異なるパルス幅のパルス信号を，各パルス信号の立ち下がりに同期て次のパルス信号が立ち上がるようにして順次生成するパルス信号生成手段と、
　前記パルス信号生成手段により順次生成されるパルス信号のうち、前記保持手段から並列で出力されている前記画像データを構成する複数要素内の特定要素に対応するパルス信号を該特定要素に応じて選択する選択手段と、
　該選択手段により選択されるパルス信号に応じて前記記録素子の各々を駆動する駆動手段とを有することを特徴とする画像形成装置。」である点で一致し、次の点で一応相違している。
　（相違点）
　▲１▼画像データが、引用例では、「ドットのサイズに関する」ものであるとしているのに対して、本願発明では「画素の濃度」としている点、
　▲２▼本願発明が画像データを構成する要素を「ビット」としている点。
　以下、上記相違点について検討する。
　相違点▲１▼について
　画像形成において、画素の濃度の違いを形成されるドットのサイズの違いによって行うことは、慣用されていることであるから、引用例に記載されたドットのサイズを変更できる画像形成装置を画素の濃度の違いをなす画像形成装置に適用することは、当業者が適宜なすことにすぎない。
　相違点▲２▼について
　画像形成装置において、画像データの送受信等のために、画像データの要素を「ビット」とすることも慣用されているから、この点に両者の間に実質的な差異がない。
　したがって、本願発明は、引用例に記載された発明および慣用されていることから、当業者が容易に発明し得たものと認められ、その効果も、引用例に記載のものと比べて格別顕著なものでない。
４．むすび
　したがって、本願発明は、引用例に記載された発明及び慣用されていることから当業者が容易に発明をすることができたものと認められるから、特許法第２９条第２項の規定により特許を受けることができない。
　よって、結論のとおり審決する。